(57)【要約】      （修正有）【課題】目をリラックスできる複合波治療器を提供する。【解決手段】第１電極パッド対に通電され、周波数１００〜２００Ｈｚの１周期を６〜１２フェーズに分割し、第１フェーズに正、第２フェーズに負、第３フェーズは正、第４フェーズに負の各パルス、第５フェーズ以降はパルスなしで、これを繰り返す第１刺激波３と、第２電極パッド対に通電され、第１刺激波と同じ周波数で、第１刺激波と同相の第２刺激波と、第２電極パッド対に通電され、第１刺激波より５〜５０Ｈｚ低い周波数で、１周期を６〜１２フェーズに分割し、第１フェーズに正、第２フェーズに負、第３フェーズに正、第４フェーズに負の各パルス、残りはパルスなしで、これを繰り返す第３刺激波８と、が生成され、第１電極パッド対と第２電極パッド対に対し、第１刺激波と第２刺激波を使用するか、第１刺激波と第３刺激波を使用するかが運転モードにより選択される。【選択図】図７
2020185215.tif 000002
【特許請求の範囲】
【請求項１】
低周波発生部を内蔵した制御ボックスと、前記制御ボックスから外部に延びる第１電極パッド対（Ａ１、Ｂ１）及び第２電極パッド対（Ａ２、Ｂ２）と、を備えた複合波治療器であって、
第１電極パッド対（Ａ１、Ａ２）に通電され、周波数１００〜２００Ｈｚの１周期を６〜１２フェーズに分割し、第１フェーズに正のパルス、第２フェーズに負のパルス、第３フェーズに正のパルス、第４フェーズに負のパルス、第５フェーズ以降はパルスなしで、これを繰り返す第１刺激波と、
第２電極パッド対（Ｂ１、Ｂ２）に通電され、第１刺激波と同じ周波数で、１周期を６〜１２フェーズに分割し、第１刺激波と同相で、第１フェーズに正のパルス、第２フェーズに負のパルス、第３フェーズに正のパルス、第４フェーズに負のパルス、第５フェーズ以降はパルスなしで、これを繰り返す第２刺激波と、
第２電極パッド対（Ｂ１、Ｂ２）に通電され、第１刺激波より５〜５０Ｈｚ低い周波数で、１周期を６〜１２フェーズに分割し、第１フェーズに正のパルス、第２フェーズに負のパルス、第３フェーズに正のパルス、第４フェーズに負のパルス、残りにはパルスなしで、これを繰り返す第３刺激波と、が生成され、
第１電極パッド対（Ａ１、Ａ２）と第２電極パッド対（Ｂ１、Ｂ２）に対し、第１刺激波と第２刺激波を使用するか、第１刺激波と第３刺激波を使用するかが運転モードにより選択され、第１乃至第３刺激波が、０．０５〜０．２Ｈｚの間隔のオンオフ信号で制御されることを特徴とする複合波治療器。
【請求項２】
第１乃至第３刺激波の波形の上辺部と下辺部には、複数の尖端部を持つ傾斜したノコギリ波が重畳されていることを特徴とする請求項１に記載の複合波治療器。
【請求項３】
前記オンオフ信号がオン状態の区間では、第１乃至第３刺激波の電圧が徐々に上昇し、一定の値を維持した後、電圧が徐々に下降するように制御されることを特徴とする請求項１に記載の複合波治療器。
【請求項４】
制御部にはハードディスクが設けられ、該ハードディスクの記録部に蓄積された運転情報がワイヤレスモジュール又はシムカードによる無線通信を介してインターネットに接続され、サーバー又はＰＣに送信されることを特徴とする請求項１に記載の複合波治療器。
【請求項５】
前記複合波治療器に課金端末が接続され、課金端末での決済が完了すると課金端末から前記複合波治療器に運転操作を許可する信号が出され、前記複合波治療器の待機状態にある電源がオンされることを特徴とする請求項１に記載の複合波治療器。
【請求項６】
前記複合波治療器は、ＰＣ又はタブレット端末又は携帯電話から操作可能であることを特徴とする請求項１に複合波治療器。
【発明の詳細な説明】
【技術分野】
【０００１】
本発明は、複合波治療器に係り、より詳細には、毛様体、眼球全体、目の周辺組織及び目周辺の筋肉に刺激を与え血流がよくなる複合波発生装置に関する。
【背景技術】
【０００２】
低周波治療器は、痛みを伝達する太い神経に作用して痛みの信号が脳に行く前に抑えてしまうのに対して、干渉波治療器は、筋肉を収縮させポンピングの作用により血流を促進し、痛み（疲労）の物質を取り除く作用があり、どちらもその目的は疼痛（とうつう）緩和であることが一般的である。
【０００３】
特許文献１には、電極（１３Ａ、１３Ｂ）と電極（１４Ａ、１４Ｂ）を備え、一方の電極（１３Ａ、１３Ｂ）に１５１Ｈｚの周波数を与え、他方の電極（１４Ａ、１４Ｂ）に１５１．５Ｈｚの周波数を与え、人体内で２つの波を干渉させ、干渉波０．５Ｈｚ（２秒に１回）を生成することが開示される。しかしながら、０．５Ｈｚの低周波は、脳をリラックスさせる効果があるが、人体内での干渉により０．５Ｈｚの干渉波を生成しようとしても、０．５Ｈｚの周期が感じられない場合があり、必ずしも人体をリラックスした状態にできない問題があった。
【０００４】
出願人は、特許文献２に示す低周波パルス発生装置を提案した。これによれば低周波パルス発生装置で、０．１〜０．５Ｈｚの刺激波を発生させたので、人体内での波の干渉に期待することなく、低周波の刺激を人体に与えることができる。しかしながら、このような低周波や中周波の刺激波を目の周辺に流した場合でも、頭痛等の副作用を発生させる事があり、血流の改善につながらない場合があり、さらなる改善が求められている。
【先行技術文献】
【特許文献】
【０００５】
【特許文献１】実用新案登録第３１２９１８７号公報
【特許文献２】特開２０１７−０９９６７８号公報
【発明の概要】
【発明が解決しようとする課題】
【０００６】
本発明の目的は、目に爽快感を与えてリラックスできる複合波治療器を提供することにある。
【課題を解決するための手段】
【０００７】
本発明による複合波治療器は、低周波発生部を内蔵した制御ボックスと、前記制御ボックスから外部に延びる第１電極パッド対（Ａ１、Ｂ１）及び第２電極パッド対（Ａ２、Ｂ２）と、を備えた複合波治療器であって、第１電極パッド対（Ａ１、Ａ２）に通電され、周波数１００〜２００Ｈｚの１周期を６〜１２フェーズに分割し、第１フェーズに正のパルス、第２フェーズに負のパルス、第３フェーズに正のパルス、第４フェーズに負のパルス、第５フェーズ以降はパルスなしで、これを繰り返す第１刺激波と、第２電極パッド対（Ｂ１、Ｂ２）に通電され、第１刺激波と同じ周波数で、１周期を６〜１２フェーズに分割し、第１刺激波と同相で、第１フェーズに正のパルス、第２フェーズに負のパルス、第３フェーズに正のパルス、第４フェーズに負のパルス、第５フェーズ以降はパルスなしで、これを繰り返す第２刺激波と、第２電極パッド対（Ｂ１、Ｂ２）に通電され、第１刺激波より５〜５０Ｈｚ低い周波数で、１周期を６〜１２フェーズに分割し、第１フェーズに正のパルス、第２フェーズに負のパルス、第３フェーズに正のパルス、第４フェーズに負のパルス、残りにはパルスなしで、これを繰り返す第３刺激波と、が生成され、第１電極パッド対（Ａ１、Ａ２）と第２電極パッド対（Ｂ１、Ｂ２）に対して、第１刺激波と第２刺激波を使用するか、第１刺激波と第３刺激波を使用するかが運転モードにより選択され、第１乃至第３刺激波が、０．０５〜０．２Ｈｚの間隔のオンオフ信号で制御されることを特徴とする。
【０００８】
第１乃至第３刺激波の波形の上辺部と下辺部には、複数の尖端部を持つ傾斜したノコギリ波が重畳されていることを特徴とする。
【０００９】
前記オンオフ信号がオン状態の区間では、第１乃至第３刺激波の電圧が徐々に上昇し、一定の値を維持した後、電圧が徐々に下降するように制御されることを特徴とする。
【００１０】
制御部にはハードディスクが設けられ、該ハードディスクの記録部に蓄積された運転情報が、ワイヤレスモジュール又はシムカードによる無線通信を介してインターネットに接続され、サーバー又はＰＣに送信されることを特徴とする。
【００１１】
前記複合波治療器に課金端末が接続され、課金端末での決済が完了すると課金端末から前記複合波治療器に運転操作を許可する信号が出され、前記複合波治療器の待機状態にある電源がオンされることを特徴とする。
【００１２】
前記複合波治療器は、ＰＣ又はタブレット端末又は携帯電話から操作可能であることを特徴とする。
【発明の効果】
【００１３】
本発明による複合波治療器によれば、
（１）複数の幅の短いパルスで刺激したので、長いパルス１回の刺激よりやわらかく感じられる。実施例に示した４発（＋側の２発と−側の２発の計４発）のパルス列は、これらを１発のパルスで出す場合よりやわらかく感じられる。
（２）第１電極パッド対と第２電極パッド対に刺激波を分散して与えたので、刺激をやわらかく感じることができる。
（３）第１刺激波と第２刺激波を全体に０．０５〜０．２Ｈｚの間隔で出力したので、例えば、０．０５Ｈｚ間隔とした場合、２０秒に１回の選択した風波数の刺激であるが、オン状態を１３秒、オフ状態を７秒などとして刺激することができるので、刺激の間隔が離れて弱くなりすぎることがなく、０．０５Ｈｚ間隔で設定した周波数の刺激を感じることができる。
（４）第１電極パッド対と第２電極パッド対に、同時に刺激を与える第１刺激波と第２刺激波の組合せに加えて、同時刺激の回数を減らすことができ、実施例によれば同時刺激が１秒間に５〜５０回となる第１刺激波と第３刺激波の組合せを設けたので、後者の組合せは、全く異なるやわらかい刺激を感じることができる。
（５）このようなやわらかさを感じとれる刺激により、目とその周辺がリラックス状態となり、毛様体の硬直状態を解放し、血流とリンパの流れを助長して、目へのストレスを低減できる。
【００１４】
第１刺激波、第２刺激波及び第３刺激波の各波形の上辺部と下辺部には、複数の尖端部を持つ傾斜したノコギリ波を重畳したので、大きな刺激の中に小さな別の刺激を加えたような形となり、刺激が心地よく感じられるものにできる。
【００１５】
オンオフ信号がオン状態の区間では、第１乃至第３刺激波の電圧を徐々に上昇させ、一定の値を維持した後、電圧が徐々に下降するように制御したので、最初の刺激波によるショックがなく、刺激がおだやかに開始されるような感じにできる。電気刺激に弱い人でも安心して使用できる。また、刺激が急に止まる感じではなく、緩やかに止まる感じにできる。
【００１６】
制御ボックス内の制御部にハードディスクを設け、ハードディスクの記録部に蓄積された運転情報をワイヤレスモジュール又はシムカードによる無線通信によりインターネットに接続し、サーバーやＰＣに送信するように構成したので、管理者もしくは施術者は、複合波治療器の使用状況を一括して管理でき、また、施術を受ける個人に合った使用方法を分析できる。
【００１７】
課金端末が接続されるので、電子決済ができ、また、課金端末での決済が完了すると課金端末から運転操作を許可する信号が出され、待機状態にある電源がオンするように制御したので、施術に先だっての代金収受の手間や電源投入の手間が軽減できる。
【００１８】
複合波治療器は、ＰＣ又はタブレット端末又は携帯電話から操作可能としたので、例えば、操作部をＰＣ又はタブレット端末又は携帯電話の画面に表示し、操作部を指示して使用できる。複合波治療器がポケットに入る程度に小型化されたような場合、制御ボックスに操作部を設ける必要はなく、これまでの操作部の機能をＰＣ又はタブレット端末又は携帯電話で維持できる。
【図面の簡単な説明】
【００１９】
【図１】本発明による複合波治療器の構成図である。
【図２】図１の制御ボックスに設けられた操作部の図である。
【図３】電極パッドの装着例を示す図である。（Ａ）は、電極パッド（Ａ２、Ｂ２）を顔の右に、電極パッド（Ａ１、Ｂ１）を顔の左に装着する場合を示す。（Ｂ）は、電極パッド（Ａ２、Ｂ２）を顔の左に、電極パッド（Ａ１、Ｂ１）を顔の他方側（右）に装着する場合を示す。
【図４】電極パッドの駆動回路を示す図である。
【図５】電極パッドを顔に装着時の刺激電流の流れる方向を示す図である。
【図６】第１刺激波と第２刺激波の各波形を示す図である。
【図７】第１刺激波と第３刺激波の各波形を示す図である。
【図８】第１刺激波と第２刺激波が０．１Ｈｚの刺激波として電極パッドに印加される説明図である。
【図９】複合波の電圧の立上り時間と立下り時間を緩やかにする図である。
【図１０】制御部のフローチャートである。
【図１１】制御部のフローチャートである。
【図１２】目の構造を示す説明図である。（ａ）は遠くを見る場合、（ｂ）は近くを見る場合を示す。
【発明を実施するための形態】
【００２０】
以下、図面を参照して、本発明による複合波治療器を説明する。
【実施例】
【００２１】
図１は、本発明による複合波治療器１００の構成図である。複合波治療器１００には、ＡＣ１００〜２４０Ｖの電源が給電される。内部の回路は、ＤＣ１２〜１５Ｖで０．８〜１．２Ａで動作する。制御ボックス３０には、操作部３１、制御部３２、表示部３３、及び複合波発生部３４が設けられる。制御部３２には、通信機能があり、運転情報を外部に送信できる。これを見て管理者は、施術の各種分析ができる。通信機能は料金の無線決済にも使用できる。複合波発生部３４からは、外部に向かって第１電極パッド対２０と第２電極パッド対２１が延びる。第１電極パッド対２０は、電極パッドＡ１、Ｂ１からなる。第２電極パッド対２１は、電極パッドＡ２、Ｂ２からなる。制御ボックス３０は、これに限られるものではないが、縦３５０ｍｍ、横２５０ｍｍ、高さ８０ｍｍの箱型である。なお、図１では、操作部３１と表示部３３を制御ボックス３０の表面に設けたが、複合波治療器１００が小型化された場合、これらの機能を遠隔の外部に開放する形態としてもよい。その場合、制御ボックス３０に操作部３１と表示部３３はなく、例えば、携帯電話からの操作で複合波治療器１００が動作する。携帯電話の表示部に、操作部３１のスイッチ等が表示され、携帯電話での操作ができる。
【００２２】
制御ボックス３０は、外部のサーバーと通信するため、ワイヤレスモジュール又はシム（ＳＩＭ）カードを備える。ワイヤレスモジュールは、短距離通信（ｂｌｕｅｔｏｏｔｈ：登録商標）もしくは近距離通信（Ｗｉ−Ｆｉ：登録商標）の無線ＬＡＮであり、最寄りのアクセスポイントとインターネットを経由してサーバーやＰＣ（パーソナルコンピュータ）に接続できる。また、シムカードは、携帯電話の加入者を特定するＩＤ番号が記録されたカードで、携帯電話会社を経由して、サーバーやＰＣに接続できる。例として、サーバーをカスタマーセンターに設置し、複合波治療器１００の運転情報から使用回数を読み取り、月額のレンタル料の算出と請求などの業務を行なうことができる。サーバーへ送信する運転情報には、（ａ）利用者の氏名、（ｂ）施術日時、（ｂ）施術周波数、（ｃ）施術時間、（ｄ）機器の稼働状況（正常稼働・故障・故障個所）などがある。
【００２３】
制御ボックス３０には、課金端末（図示せず）がＵＳＢで接続される。課金端末には使用料金が表示される。利用者が携帯電話をかざすと、課金端末はインターネット経由で決済運営会社にアクセスし、決済がＯＫかどうか確認する。決済がＯＫで、決済が完了したなら、課金端末は、複合波治療器１００に運転操作の許可信号を出す。複合波治療器１００は、運転操作の許可信号を受けると、待機状態にある電源をオンする。決済がＮＧの場合、例えば現金での支払いが完了すれば、課金端末からではなく、人手で複合波治療器１００の電源投入を含む操作が行なわれる。なお、課金端末から利用者の決済情報も複合波治療器１００に送り出されるので、その情報を読み取るようにしてもよい。
【００２４】
図２は、図１の制御ボックス３０に設けられた操作部３１を示す図である。操作部３１は、各種の操作スイッチからなる。モード選択３１ａは、モードＡ、Ｂ、Ｃのどのモードにするか選択する。選択した結果は、表示部３３のモードを示す領域に表示される。自動モード３１ｂは、自動モードを選択する。自動モードはモードＡ〜Ｃを自動的に切り替えながら運転される。スイッチで選択した結果は、表示部３３のモードを示す領域に表示される。通常は、モードＡが推奨される。モードＢ、Ｃは、例えば施術者がモードＡでは刺激が強いと判定したような場合に使用する。モードＢ、Ｃは、刺激の少ない周波数からなり、使用者に不安を与えないようにできる。なお、操作部３１にはランプ（図示せず）が設けられ、正常なら白のランプが点灯し、故障なら赤のランプが点灯する。また、制御部３２には、運転データを記録するハードディスクの記録部がある。記録部の運転情報をワイヤレスモジュール又はシムカードによる無線通信を介してインターネットに接続し、インターネットを経由して、サーバー（Ｇｌｏｂａｌ  ＩＤ）に送信できる。
【００２５】
タイマーアップ３１ｃとタイマーダウン３１ｄは、運転時間をアップダウンさせて、最大４０分の範囲内に設定するためのスイッチである。通常は、運転時間は２０〜３０分に設定される。強度アップ３１ｅと強度ダウン３１ｆは、刺激波の電圧を変更するスイッチである。アジャスト３１ｇは、すべてのモードに於ける電圧による刺激の強さ（＝電流の強さ：Ｃｕｒｒｅｎｔ  Ｉｎｔｅｎｓｉｔｙ）ではなく、刺激の強さの性質（＝粗さ：Ｓｔｉｍｕｌｕｓ）を変更するスイッチである。刺激の性質（粗さ）の強さの指定は３段階を設けた。アジャスト３１ｇでノコギリ波の先端に発生させている波の幅と高さを３段階のメニューの中から選択できる。この制御は、制御部３２のプログラムで行なっている。スタート／ストップ３１ｈは、第１電極パッド対２０と第２電極パッド対２１を顔に装着した後、これを押すことで運転が開始されるスイッチで、２回目の押下で運転が停止される。なお、制御ボックス３０には、電源コード１とパワーオンスイッチ２が設けられる。第１電極パッド対２０は電極パッドＡ１とＢ１からなり、第２電極パッド対２１は電極パッドＡ２とＢ２からなる。
【００２６】
図３は、電極パッドの装着例を示す図である。図３（Ａ）は、電極パッド（Ａ２、Ｂ２）を正面視で顔の右側に装着し、電極パッド（Ｂ１、Ａ１）を顔の左側に装着する場合を示す。電極パッドＡ１、Ａ２を結ぶ線と、電極パッドＢ１、Ｂ２を結ぶ線が、顔の中央付近で交差するように配置される。図３（Ｂ）は、電極パッド（Ａ２、Ｂ２）を正面視で顔の左側に、電極パッド（Ｂ１、Ａ１）を顔の右側に装着する場合を示す。この場合も同様に、電極パッドＡ１、Ａ２を結ぶ線と、電極パッドＢ１、Ｂ２を結ぶ線が顔の中央付近で交差するように配置される。電極パッドは、どちらの形態で装着されてもよい。
【００２７】
図４は、電極パッドの駆動回路である。第１刺激波は、上側のインバータを通過し電極パッドＡ１と電極パッドＡ２の交流の波形が作られる。第２刺激波は、下側のインバータで電極パッドＢ１と電極パッドＢ２の交流の波形が作られる。電極パッド全てのパッドに複合波が流れるが、Ａ２とＢ１間は、同じ電圧（例；グランド又は所定の電圧）となるため流れない。
【００２８】
図５は、電極パッドを顔に装着した時の刺激電流の流れる方向を示す説明図である。（ａ）は、交流の第１刺激波が、対となる電極パッドＡ１、Ａ２間で流れる場合の電流の向きを示す。（ｂ）は、交流の第２刺激波が、対となる電極パッドＢ１、Ｂ２間で流れる場合の電流の向きを示す。第１刺激波と第２刺激波は、同時に流されるので、（ｃ）に示すように、電極パッドＡ１と電極パッドＢ１の間にも電流が流れる。（ｄ）に示すように、電極パッドＡ２と電極パッドＢ２の間にも電流が流れる。（ｅ）に示すように、電極パッドＡ１と電極パッドＢ２の間にも電流が流れる。
【００２９】
図６は、第１刺激波３と第２刺激波４の各波形である。第１刺激波３は、電極パッドＡ１、Ａ２に印加される波形である。第１刺激波は、周波数１４０Ｈｚの１周期（７．１４ｍｓ（ミリセカンド：１０−３秒））の内、最初の４ｍｓを４フェーズに分割し、第１フェーズに正のパルス、第２フェーズに負のパルス、第３フェーズに正のパルス、第４フェーズに負のパルス、残りの３．１４ｍｓにはパルスなしとして、これを繰り返すものである。出力は５〜３０Ｖの間で実現している。正または負のパルスの幅は約１ｍｓである。デユーティー比が５０％の波形なら周波数でいうと５００Ｈｚである。第１刺激波は、４個の塊を１つの刺激と見なすなら、１秒間に１４０回の刺激が与えられるものとなる。なお、第１刺激波は、１４０Ｈｚの波形で示したが、これに限るものではなく、１００〜２００Ｈｚの範囲内で変更できる。
【００３０】
図６に示すように、第２刺激波４は、対となる電極パッドＢ１、Ｂ２間に印加される波形である。第２刺激波は、第１刺激波と同じ周波数１４０Ｈｚを使用し、第１刺激波と同相で、１周期の最初の４ｍｓを４フェーズに分割し、第１フェーズに正のパルス、第２フェーズに負のパルス、第３フェーズに正のパルス、第４フェーズに負のパルス、残りの３．１４ｍｓにはパルスなしで、これを繰り返す。全てのパルスが第１刺激波３と同時刻に発せられるので、人体内でより強い刺激に感じられる。図６では、正または負のパルスの幅を１ｍｓに設定したが、０．８３ｍｓや１．２５ｍｓとしてもよい。
【００３１】
図６に示すように、第１刺激波３と第２刺激波４は、波形の上辺部と下辺部に複数の尖端部を持つ傾斜したノコギリ波を重畳した。矩形波の上下端にノコギリ波を有する場合、これを有さない矩形波に比較して、刺激が柔らかく感じられる。ノコギリ波を有する矩形波は、上辺部と下辺部が平坦な矩形波より、波形が囲む面積が小さいので、刺激のエネルギーを小さくできる。ノコギリ波の拡大波形を図６右側の引出し円内に示す。ノコギリ波は、人体が感じる刺激と関係があり、この刺激の強さは、複数の中から選択が可能である。選択は操作部のアジャスト３１ｇで操作できる。制御は制御部３２のプログラムで行なっている。具体的には、３段階の刺激制御を可能としている。
【００３２】
図７は、第１刺激波３と第３刺激波８の各波形である。第１刺激波３は、対となる電極パッドＡ１、Ａ２間に印加される波形である。第１刺激波３は、図６で説明したとおりである。図７に示すように、第３刺激波８は、第１刺激波３と同様に波形の上辺部と下辺部にノコギリ波を有する。
【００３３】
第３刺激波８は、対となる電極パッドＢ１、Ｂ２間に印加される波形である。第３刺激波８は、周波数１３５Ｈｚで、第１刺激波３の１４０Ｈｚより５Ｈｚ程低い。どれくらい低くするかであるが、例として５〜５０Ｈｚ程度低くできる。１周期（７．４０ｍｓ）の内、最初の４ｍｓを４フェーズに分割し、第１フェーズに正のパルス、第２フェーズに負のパルス、第３フェーズに正のパルス、第４フェーズに負のパルス、残りの３．４ｍｓにはパルスなしとして、これを繰り返す。第１刺激波と第３刺激波は、１秒間に５回（＝１４０Ｈｚ−１３５Ｈｚ）ぶつかるため、この時は刺激が強く感じられる。第１刺激波と第２刺激波を使用した場合、同じ時刻に刺激することになるが、第１刺激波と第３刺激波を使用した場合は、同じ時刻に刺激する回数が大幅に減るので、第１刺激波と第２刺激波を使用した場合とは全く異なる感覚を人体に与える。
【００３４】
第３刺激波８も波形の上辺部と下辺部にはノコギリ波を重畳したが、このようなノコギリ波を有する波形は、矩形波に比較して、刺激が柔らかく感じられる。
【００３５】
図８は、第１刺激波３と第２刺激波４が０．１Ｈｚで電極パッド対に印加される説明図である。第１刺激波３と第２刺激波４が、運転タイマーで指定された時間、ここでは３０分間、第１電極パッド対２０と第２電極パッド対２１に出力される。第１刺激波３と第２刺激波４は、刺激波が共に継続されるオン状態５と、刺激波が共に休止されるオフ状態６からなる。図８に示すように、オン状態５を８秒とし、オフ状態６を２秒とした。この場合、デューティ比は８０（％）で、０．１Ｈｚの低周波にできる。間隔は０．１Ｈｚに限らず０．０５〜０．２Ｈｚの範囲で設定できる。０．２Ｈｚ間隔の低周波にするのであれば、１周期が５秒なので、デューティ比が８０（％）なら、オン状態５を４秒、オフ状態６を１秒にできる。このように、第１刺激波３と第２刺激波４が０．０５〜０．２Ｈｚの間隔で出力される。第１刺激波３と第３刺激波８の場合も同様である。
【００３６】
図９は、複合波の電圧の立上り時間と立下り時間を緩やかにする図である。電気刺激に弱い人のために、電気刺激による不快感（衝撃）を低減させる必要がある。そこで、立上り時は徐々に電圧が上がり、立下り時には徐々に電圧が下がるよう制御した。図８の０．１Ｈｚの場合を例では、刺激波は８秒間続き、次の２秒間はオフとなるが、刺激波の区間（８秒間）は、所定の電圧まで２．５秒かけて立上り、指定電圧を５秒間維持し、０．５秒かけて立下り電圧がオフとなる。
【００３７】
図１０、１１は、制御部３２のフローチャートである。図中のＡ〜Ｃモードは以下である。Ａモードは、対となる電極パッドＡ１、Ａ２に例として１４０Ｈｚの第１刺激波３を使用し、対となる電極パッドＢ１、Ｂ２に１４０Ｈｚで同相の第２刺激波４を使用した。Ｂモードは、刺激を弱めたモードで、電極パッドＡ１、Ａ２に１４０Ｈｚの第１刺激波３を使用し、電極パッドＢ１、Ｂ２に例として１３５Ｈｚの第３刺激波８を使用した。Ｃモードでは、Ｂモードと同じ第１刺激波３と第３刺激波８を使用した。ＣモードはＢモードより刺激をさらに緩やかにした。自動運転モードでは、Ａ、Ｂ、Ｃの各モードを組み合わせたｍ１、ｍ２、ｍ３の３つのモードを用意した。
【００３８】
図１０、１１に示すように、ステップＳ１では、運転タイマーが設定される。一例として３０分がセットされる。オン状態とオフ状態の時間間隔は、オン状態が８秒、オフ状態が２秒の０．１Ｈｚがセットされる。ステップＳ２は、モードとアジャストが選択される。モードは、Ａ〜Ｃのモードと、自動運転モードが選択できる。自動運転モードは、ｍ１、ｍ２、ｍ３が選択される。第１電極パッド対２０と第２電極パッド対２１が顔の左右に装着され、準備ができると、第１操作部３１のスタートストップ３１ｈが押下される。ステップＳ３で、スタートが検知されて運転が開始される。ステップ４で自動運転モードかどうかが判定される。自動運転モードでｍ１が選択された場合、ステップ５、６で、使用者に不安を与えないよう刺激の弱いＢモードとＣモードが各々３分間運転される。その後ステップＳ７で第１刺激波と第２刺激波を使用した複合波の運転（Ａモード、１００〜２００Ｈｚ）を２４分間行なう。刺激のある８秒間と刺激のない２秒間が２４分間繰り返される。合計で３０分が経過し、運転タイマーが終了すると、ステップＳ８で検知され運転終了となる。
【００３９】
図１０、１１に示すように、ステップＳ９ではＡモードかどうかが判定され、Ａモードの場合、ステップ７に飛んでＡモードが実行される。ステップＳ１０でＢモードかどうかが判定され、Ｂモードの場合、ステップ１１に飛んでＢモードが実行される。３０分が経過すると、ステップＳ１２で検知され運転終了となる。Ｃモードは、ステップ１３に飛んでＣモードが実行される。所定の時間が経過すると、ステップＳ１４で検知され運転終了となる。
【００４０】
図１０、１１に示すように、自動運転モードは、ｍ１の他にｍ２とｍ３を選択される。人体が主要波の刺激に順応してしまう事を避けるため、電気（波）が流れているオン状態と、電気（波）が流れていないオフ状態が交互に到来し、オン状態と時間とオフ状態を合わせた１周期を０．０５〜０．２Ｈｚの間隔に設定される。
【００４１】
図１２は、目の構造を示す説明図である。（ａ）は遠くを見る場合、（ｂ）は近くを見る場合を示す。目の水晶体の厚さを変える調整をするのが、毛様体とよばれる筋肉である。毛様体が緩むと水晶体が薄くなり、遠くを見ることができる。毛様体が緊張して収縮すると水晶体が厚くなり、近くを見ることができる。目に疲れがたまると毛様体が硬直して調整機能が低下する。複合波治療器１００によれば、人体に爽快感を感じさせる振動を毛様体に与えて、毛様体の硬直を改善し、眼の血行をよくする。
【００４２】
体の神経には、仕事時に活発になる交感神経と、リラックスした時に活発になる副交感神経がある。交感神経は、昼間に活発となり、筋肉が収縮して血管が収縮し血圧が上がる。副交感神経は、食後や入浴中、就寝中に活発になり、身体を修復する。副交感神経が優位となると、筋肉が柔軟になり、血管が緩み、血圧が下がる。交感神経ばかり働いてしまうと、自立神経失調症になりやすい。テレビやパソコン、携帯電話など目を刺激する機器が多いので、疲れ目（Ｅｙｅ  Ｓｔｒａｉｎ）、眼精疲労（Ａｓｔｈｅｎｏｐｉａ）、後天性近視（Ａｑｕｉｒｅｄ  Ｍｙｏｐｉａ）などの疾患に関係している。
【産業上の利用可能性】
【００４３】
本発明の複合波治療器は、目の各種疾患の改善や進行の抑制に使用でき、また、目の疲れを取って顔全体の筋肉に働きかける美容機器としても好適である。
【符号の説明】
【００４４】
１    電源コード
２    パワーオンスイッチ
３    第１刺激波
４    第２刺激波
５    オン状態
６    オフ状態
８    第３刺激波
２０    第１電極パッド対
Ａ１、Ａ２    電極パッド
２１    第２電極パッド対
Ｂ１、Ｂ２    電極パッド
３０    制御ボックス
３１    操作部
３１ａ    モード選択
３１ｂ    自動モード
３１ｃ    タイマーアップ
３１ｄ    タイマーダウン
３１ｅ    強度アップ
３１ｆ    強度ダウン
３１ｇ    アジャスト
３１ｈ    スタート／ストップ
３２    制御部
３３    表示部
３４    複合波発生部
Ｓ１〜Ｓ２６    制御ステップ
１００    複合波治療器
【図１】
2020185215.tif 000003
【図２】
2020185215.tif 000004
【図３】
2020185215.tif 000005
【図４】
2020185215.tif 000006
【図５】
2020185215.tif 000007
【図６】
2020185215.tif 000008
【図７】
2020185215.tif 000009
【図８】
2020185215.tif 000010
【図９】
2020185215.tif 000011
【図１０】
2020185215.tif 000012
【図１１】
2020185215.tif 000013
【図１２】
2020185215.tif 000014